Podtech/llm-jp-corpus-v4-ja_patent huggingface dataset:
(57)【要約】【課題】クリップ機能をもつ構造の先端部分に紙などを挟み長くした本体部に物を掛けられるフック機能を付けた。【解決手段】フックとクリップを付けました。物を掛けたり挟んだりできる針を二本にした先端部分に切り込みを入れた本体を長くした図１のクリップ（３）と（４）の間が書類等を挟む部分【選択図】      図１
2005036817.tif 000002
【特許請求の範囲】
【請求項１】
壁等に固定させた後にクリップのみならずフックとしても利用可能であり、かつ画鋲のみとしても使用可能なフック兼用のクリップ本体と画鋲部を備えた画鋲付きフック兼用クリップであって、画鋲部に壁等への固定用針を二本備えたことを特徴とする画鋲付きフック兼用クリップ
【請求項２】
クリップ部分が針と直角に配置されていて、ペン先状に、間にスリットを設け、書類等を挟めるようにしたとを特徴とする請求項１記載の画鋲付きフック兼用クリップ
【請求項３】
クリップ部の背面側に球形の突起を設けたことを特徴とする請求項１または請求項２記載の画鋲付きフック兼用クリップ
【請求項４】
画鋲部における二本の針の長さが異なる事を特徴とする請求項１、２または３記載の画鋲付きフック兼用クリップ
【請求項５】
クリップ部分の外側を内側より短くして書類等を挟み易くしたことを特徴とする請求項１、２、３または４記載の画鋲付きフック兼用クリップ
【発明の詳細な説明】
【０００１】
【発明の属する技術分野】
この発明は、壁等に固定させた後に書類を挟め、かつ物を掛けられる構造にした画鋲付きフック兼用クリップに関するものである。
【０００２】
【従来の技術】
従来いろいろな画鋲はあったが、いずれも、ただ刺して固定するのみか、またはクリップで挟む機能のみを兼ね備えたもので、例えば、実開平６−４２２９７でも刺す機能と挟む機能の二つをもつ物であった。
【０００３】
【発明が解決しようとする課題】
従来の画鋲は、次のような欠点があった
１  固定しようとする物に、針の穴があいていた
２  クリップで挟んだ跡がのこる
【０００４】
【課題を解決するための手段】
１  針を二本にして固定強度を増すようにし、また回転しないようにした。
２  クリップ部分にはペン先状に切り込みを入れ、間に書類等を挟むことができるようにした。
３  クリップ本体を長くして、物をさげることができるようにした。またクリップ部の背面に球形の突起を設けて強度を増した。
４  二本の針の一方を短くし、壁に刺す時に力が一度にかからないようにして、刺し込み易くした。
【０００５】
【発明の実施の形態】
発明の実施の形態を図１に基づき説明する。
図１で１、２が画鋲部の二本の針、クリップ３とクリップ４の間にスリットがありここが物を挟む部分、外側のクリップ３が内側のクリップ４より短い。二本の針は、それぞれ１が長い針、２が短い針である。
本発明は上記のような構造で、これを使用するときは、クリップの球形の部分をつまみまず、針１を刺し、次いで針２を刺すことで、力が分散される。
クリップ４の内側には、鍵、アクセサリー等をかけてフックとしても使用することができる。
クリップ３とクリップ４の間に写真、名刺、書類等を挟む。また、外側のクリップ３を内側のクリップ４より短くして挟みやすくした。
なお、図１のクリップ３、４の背面部分は球形になっており、クリップ部分の強度を補強すると共に、つまみとしての機能も兼備えており、ここをつまんで簡単に刺したり抜いたりすることができる。
【０００６】
【発明の効果】
本発明は、以上のような構造で、これを使用するときは、固定する場所にこの画鋲を刺し、先端にスリットを設けたクリップ部分には書類、写真、画用紙などを挿入し固定する。また、クリップの内側にカギ、アクセサリー等を掛け、フックとしても使用する。
【図面の簡単な説明】
【図１】本発明の側面図である
【図２】本発明の斜視図である
【符号の説明】
１  長い針
２  短い針
３  クリップ外側
４  クリップ内側（フック兼用）
【図１】
2005036817.tif 000003
【図２】
2005036817.tif 000004
(57)【要約】【課題】従来は、シャッターと開閉棒が分離しているので、シャッターを開閉した後、開閉棒を取り外し、使用後の開閉棒を置き忘れたり、紛失したりしてしまう。【解決手段】シャッターの座板に内側溝を設け、この溝を開放口とスライド溝の２つに別けた。開放口と溝の終端部の中間にガイドレールで仕切りを設け、このガイドレールのスライド溝にシャッターの開閉棒を走らせて、シャッターを開けたとき、シャッターガイドレールの溝に収納させる。開閉棒である軸が抜けないように軸の先端に膨大部を付け、シャッターに連結させた開閉棒。【選択図】          図６
2005036452.tif 000002
【特許請求の範囲】
【請求項１】
シャッター１の座板３に内側溝４’を設け、この溝を開放口２とスライド溝４の２つに別け、開放口２と溝の終端部の中間にガイドレール５で仕切りを設ける。前記溝には、開放口２とガイドレール５の膨大部口７とで形成したシャッターの座板。
【請求項２】
シャッター１の開閉するための軸６の頭部に膨大部９を設け付けた開閉棒。
【発明の詳細な説明】
【０００１】
【発明が属する技術分野】シャッター１とシャッター１を開閉するため開閉棒を１体にした  シャッター１である。
【０００２】
【従来の技術】シャッター１とシャッター１を開閉するための軸６は、分離して使用していた。
【０００３】
【発明が解決しようとする課題】シャッター１とシャッター１を開閉するための軸６は、分離していて、取り外して使用するため置き忘れたり、無くしたりする場合があった。
【０００４】
【課題を解決するための手段】シャッター１を開けた後、座板３より吊り下がった開閉棒を座板３の内側溝４’の中へ横に収納できるように、座板３の開放口２を設け、さらに、その開放口２の奥にガイドレール５を付ける。このガイドレール５は、軸６を吊り下げ、左右に移動できるようにスライド溝４を設ける。開閉棒である軸６を座板３の開放口２の溝に収納した際、開放口２の内側から外へ出ないように、座板３の中央より左右のどちらか寄りに柔軟性のある止め板１０を溝の両側に付ける。この止め板１０は、開閉棒となる軸６を開放口２から出し入れするとき伸縮して、軸６を開放口２の溝の中に固定させる働きをさせる。
開閉棒となる軸６の上部には、ガイドレール５の膨大部口７より大きい膨大部９を付け、シャッター１を開けるときは開閉棒となる軸６を上に押し上げると座板３のスライド溝４の終端部に軸６の膨大部９が当りシャッター１を押し上げて開けることができ、閉めるときは開閉棒となる軸６を引き下げると開閉棒となる軸６の先端に付いている膨大部９がガイドレール５の膨大部口７に引掛り、シャッター１を閉められるようにする。
開閉棒は、シャッターを取付ける際に、開放口２の側端より軸６の開閉棒の膨大部９を入れ、膨大部９をスライド溝４に差し込んで取付ける。
【０００５】
【発明の実施の形態】
シャッター１の座板３の内側溝４‘を付け、この溝をガイドレール５で仕切り、下部の溝を軸６が収納できる開放口２にし、ガイドレール５で仕切られた上部のスライド溝４を軸６先端の膨大部９がスライドする溝にする。
【０００６】
【実施例】閉じているシャッター１を手で中間まで開け、さらに上部に開けるには、座板３の開放口２に設けてある止め板１０に引っ掛けて収納されている軸６を指で出して吊り下げ、開閉棒となる軸６でターボックス１１まで押し上げてシャッター１を開け、吊り下がった開閉棒を左右のどちらかのシャッター１のガイドレール１２側に寄せガイドレール１１の溝に縦に収納する。
シャッター１を閉じる場合は、開閉棒をシャッター１が片荷にならないように座板３の中央に移動して、シャッター１を中間まで引き下げ、開閉棒を座板３の開放口２の溝に収納し止め板１０で止まったのを確認してからシャッター１を床まで手で下ろして鍵８をかける。
【０００７】
【発明の効果】シャッター１の開閉棒を座板３の穴に引っ掛けて開閉していたが、これを１体にすることにより、シャッター１に軸６である開閉棒が常に連結しているので、開閉棒を探したり紛失することがない。
【図面の簡単な説明】
【図１】シャッター１を閉めたときの正面図である。
【図２】シャッター１を開けたときの正面図とシャッター１のガイドレール１１に縦に収納した開閉棒の正面図である。
【図３】シャッター１を開け、開閉棒を左側のシャッターガイドレール方向に移動中の膨大部９がガイドレール５に吊り下がった１部斜面図ある。
【図４】シャッター１の座板３に設けてある座板３と開放口２のＡ―Ａ’の断面図である。
【図５】シャッター１を開閉するときの開閉棒の正面図である。
【図６】シャッター１を閉めるときの膨大部９がガイドレール５に接触し吊り下がった側面図ある。
【図７】シャッターを開けるときの膨大部９が開放口２の終端部に接触し押し上げた側面図である。
【図８】シャッターを閉めるとき軸６を止め板１０で固定し収納した側面図である。
【図９】シャッターの軸６を開放口２の溝に止め板１０で固定し収納した底面図である。
【符号の説明】
１        シャッター
２        開放口
３        座板
４        スライド溝
４’      内側溝
５        ガイドレール
６        軸
７        膨大部口
８        鍵
９        膨大部
１０      止め板
１１      シャッターガイドレール
１２      シャッターボックス
【図１】
2005036452.tif 000003
【図２】
2005036452.tif 000004
【図３】
2005036452.tif 000005
【図４】
2005036452.tif 000006
【図５】
2005036452.tif 000007
【図６】
2005036452.tif 000008
【図７】
2005036452.tif 000009
【図８】
2005036452.tif 000010
【図９】
2005036452.tif 000011
(57)【要約】【課題】自然石の恒久性と石独自のもつクリスタルな色彩と挿入板のノウハウを塀の適材適所に生かして通風、採光、目隠をし、建築物と一体化した塀の構造体を優雅な生活環境作りに提供する。【解決手段】塀の構造体の駆体部である笠石1、支柱石2，挿入板3、要石4、を保持する土台石5、飾り石6で石積みされた構造体で、土台部は土台石5で石積みし、目地の接続部を腐食しにくいアルミ製金具と強力な接着剤で接続し、土台石5の石積みは現場の設置状況により適宜行う。【選択図】図１
2005036404.tif 000002
【特許請求の範囲】
【請求項１】
土台部と、飾り石と、躯体部とからなる石塀の構造体。
【請求項２】
躯体部が挿入板および／または回転板を有する請求項１に記載の石塀の構造体。
【発明の詳細な説明】
【０００１】
【発明が属する技術分野】
本発明は境界線や土留用擁壁を兼用できる石塀の土台部と躯体部に通風、採光、目隠しを一体化したカラフルな石塀の改良に関するものである。
【０００２】
【従来の技術】
従来の塀は大半がコンクリート製、石製、木製、竹製、金属製などで構成されている。
【０００３】
従来のコンクリートや、ブロック塀は通風、採光上の欠点があり亀裂が生じ風化するなどの欠陥がある。木製の塀は老朽化が早く、金属製の塀は塩害に弱く腐食しやすいく恒久性に乏しい。
【０００４】
従来の石材製の塀の場合、通風、採光上に難点があり、重量が重い為作業上困難をで構築範囲が制限される。
【０００５】
コンクリート製の塀は移転の際に再利用ができず道路拡張などの際に破壊しなければならず産業廃棄物の発生源となる。
【０００６】
建築物のベランダ、ポーチ等に併設された木製や金属製の塀は恒久性に乏しく、防風、死角の面で防犯の面で改良の余地がある。
【０００７】
【発明が解決しようとする課題】
発明が解決しようとする石塀の構造体は従来の木製、金属製、コンクリート製の塀の素材を技術で軽量化した石材を使用して構築単価を下げ価値観を高めて恒久的な石塀の構造体を提供することを目的とする。
【０００８】
塀に通風、採光、目隠し色彩などそれぞれの役割を建築物、境界に併設することで死角が少なく高温多湿な日本の風土にマッチした生活環境づくり、脱着自在な挿入板を季節に応じて差し替えできる石塀を提供することを目的とする。
【０００９】
【課題を解決するための手段】
本発明者は、上記課題を説意検討して次の発明を完成するに至った。
本発明の石塀は土台に接続される、飾り石、支柱石、要石、笠石、挿入板、回転板で構築された支柱石と支柱石の間をカラー石板で連結して通風、採光、目隠し、色彩効果を工夫したものである。
【００１０】
本発明の石塀の土台部とは、土台石で構築されたものであり、飾り石と、躯体部とを支える基礎となる部分である。土台部分は石材を軽量化して成人２人の人力で石積み作業可能な重量とする。石積み手法は市松目地（土台石の継ぎ目を一つ置きにする）の耐震工法である。この市松目地は、アルミ金具で目地を接続して磐石な塀の土台部を構成する。
【００１１】
本発明の飾り石は、石塀の補強の役割をなし、石面に装飾浮き彫りを施して立体感を出したものである。
本発明の躯体部は、支柱石と、要石と、笠石と、挿入板および／または回転板とから構成されるものである。支柱石と、要石と、笠石とを組み合わせて耐震性の役割をなし、挿入板および／または回転板に、多彩な石種を使用した色彩、通風、採光、目隠し、脱着自在などそれぞれの役割をなす。
本発明の石塀の構造体は、土台部と、飾り石と、躯体部とからなる。この躯体部が挿入板および／または回転板を有するものも本発明の石塀の構造体に含まれる。
本発明の挿入板および／または回転板は、この躯体部から脱着自在な構造を持たせることができる。
【００１２】
【発明の実施の形態】
本発明は軽量化した、多角形、円筒形など異形からなる支柱石を磐石に保持する為に土台石と支柱石を金具並びに強力接着剤で接続し更に支柱石と支柱石の根元部分を固定するための要となる要石を設置して耐震に対応させている。
【００１３】
本発明は支柱石の天端部を固定した笠石と支柱石の根元部分を固定した要石に石製の挿入板を直立、又は斜めに脱着自在に対応させて塀全体のバランスを保持し更に飾り石で補強される構造体である。
【００１４】
本発明は支柱石や挿入板には、黒、白、赤、青、緑など建物の色合いに合わせて数百種の花崗岩を艶出しした石板を支柱石と支柱石の間に水平または斜めに又は笠石と要石の間に直立、斜面に挿入せしめて脱着自在、回転軸にて回転する構造体である。
【００１５】
本発明は石塀の価値観をアップし多様化するために飾り石や挿入板に文字や絵模様などを彫刻又は透かし彫りして昼は採光に夜はガーデニング用の明り取りに使用することも可能である。
【００１６】
以下、本発明の実施を図面に基づいて説明する。図１は塀の構造体の躯体部である１笠石、２支柱石、４要石、３挿入板を保持する基礎として５土台石、６飾り石で石積みされた構造体である。
【００１７】
土台部は５土台石で石積みし地震や土圧にも耐えられるように目地の接続部を腐食しにくいアルミ製金具と強力な接着剤で接続し５土台石の石積みは現場の設置状況により適宣可能なものとする。
【００１８】
図２の躯体部は３挿入板を水平斜傾に裏面から挿入できるように２支柱石に８挿入部の溝を段階的に設置して３挿入板を脱着自由にせしめたもので２支柱石と支柱石を対応させて７接続金具で接続して４要石と１笠石で固定し８挿入部の溝には衝撃防止のゴムを布設する形態である。
【００１９】
図３の石塀は３挿入板を１笠石に垂直に脱着自在に挿入したものであるまた１０回転板を垂直に９回転軸で自在に開閉できる構造体である。
【００２０】
図４の石塀は相対する２支柱石の中心部に挿入部を施し文字や絵模様などの彫刻や透かしのレリーフを細工した１１彫刻板を挿入して４要石と１笠石で固定する石塀の形態で多面立方体に組み合わせることも可能である。
【００２１】
【発明の効果】
この方法だと熟練した石工の技術がいらず工期も短くて済むので工事費を節約できる。
塀に設置された挿入板を水平斜傾に対応させることで外部からの目隠しとほこりや雨水などの効果が生じる挿入板を敵宣間隔に構成することで通風、採光の効果が生じる。
【００２２】
カラフルな挿入板を使用するので建築物の色彩に色合わせが可能である脱着自在な挿入板を季節に応じて差し替えして塀の衣替を楽しむことができる。
【００２３】
建築物の窓などに設置した塀は自然石の色彩と建築物の色彩と融合して採光、通風、目隠し及び、防風、防犯の効果も生じる。
【図面の簡単な説明】
【図１】本発明の実施例を示す塀の構造体正面図。
【図２】躯体に挿入板を水平に挿入した正面図。
【図３】挿入板を垂直に設置した正面図。
【図４】彫刻版を垂直に設置した正面図。
【符号の説明】
１    笠石
２    支柱石
３    挿入板
４    要石
５    土台石
６    飾り石
７    接続金具
８    挿入部の溝
９    回転軸
１０    回転板
１１    彫刻板
【図１】
2005036404.tif 000003
【図２】
2005036404.tif 000004
【図３】
2005036404.tif 000005
【図４】
2005036404.tif 000006
(57)【要約】【課題】  引戸が強く閉められたときの反動で開き方向に移動したときに、滑走体の軸を掴んだままストッパーの嵌合溝部分が引戸と同調してクッションのように弾力的に移動するようにして軸と嵌合部分との抜脱を未然に阻止することのできる引戸ストッパーを提供する。。【解決手段】  引戸Ａの滑走体の支持軸５を弾力的に受け入れる嵌合溝１ａを備えたストッパープレート１と、該ストッパープレート１を所定のストロークの範囲内で引戸スライド方向に摺動可能に保持するフレイム２と、前記ストッパープレート１を引戸の閉じ方向となる引込み方向に常時付勢するスプリング３と、前記フレイム２を引戸レールＢに取り付けるための取付け手段４とからなる構成。【選択図】図１
2005036497.tif 000002
【特許請求の範囲】
【請求項１】
引戸の滑走体の支持軸を弾力的に受け入れる嵌合溝を備えたストッパープレートと、該ストッパープレートを所定のストロークの範囲内で引戸スライド方向に摺動可能に保持するフレイムと、前記ストッパープレートを常時引込み方向に付勢するスプリングと、前記フレイムを引戸レールに取り付けるための取付け手段とからなる引戸ストッパー。
【発明の詳細な説明】
【技術分野】
【０００１】
本発明は、引戸の滑走体をガイドするレールの端末に取り付けて、引戸の閉鎖姿勢を保持する引戸ストッパーに関する。
【背景技術】
【０００２】
従来、引戸や折戸のストッパーとして、本出願人が出願した実用新案登録第２５５８６９６号公報に示すものがある。この公知のストッパーは開口部を狭くした嵌合溝を備え、引戸の滑走体の軸がこの嵌合溝に弾性嵌合して引戸の閉鎖姿勢を保持するように形成されている。  
【０００３】
しかし、上記のストッパーでは、引戸を強く閉めた時にその反動で引戸が開き方向に動いて滑走体の軸が嵌合溝から抜脱することがあり、引戸ストッパーとしての機能を発揮しない場合がある。反動による抜脱を阻止するために嵌合溝と滑走体の軸との弾性嵌合を強くすると、引戸を開けるときに強い力を必要として使用勝手が悪くなるので嵌合力をあまり強くすることができない、といった問題点があった。  
【特許文献１】実用新案登録第２５５８６９６号公報
【発明の開示】
【発明が解決しようとする課題】
【０００４】
そこで本発明は、引戸が強く閉められたときの反動で開き方向に移動したときに、滑走体の軸を掴んだままストッパーの嵌合溝部分が引戸と同調してクッションのように弾力的に移動するようにし、もって反動力を緩和して軸部と嵌合部分との抜脱を未然に阻止して上記した課題の解決を図ることを主たる目的とするものである。
【課題を解決するための手段】
【０００５】
上記目的を達成する為に本発明では次のような技術的手段を講じた。即ち、本発明に係る引戸ストッパーにあっては、引戸の滑走体の支持軸を弾力的に受け入れる嵌合溝を備えたストッパープレートと、該ストッパープレートを所定のストロークの範囲内で引戸スライド方向に摺動可能に保持するフレイムと、前記ストッパープレートを引戸の閉じ方向となる引込み方向に常時付勢するスプリングと、前記フレイムを引戸レールに取り付けるための取付け手段とから構成した。
【発明の効果】
【０００６】
本発明では、引戸が強く閉めたときの反動で引戸が開き方向に移動したときに、滑走体の支持軸を嵌合するストッパーの嵌合溝が支持軸を掴んだまま引戸と同調してクッションのように弾力的に移動して支持軸と引戸ストッパーの嵌合溝との係合が離脱することを効果的に阻止することができ、引戸の半開き等を未然に防止することができる、といった効果がある。
【実施例】
【０００７】
図１〜図５は本発明の引戸ストッパーの一実施例を示すものであって、符号１は引戸Ａの滑走体の支持軸５を弾力的に受け入れる嵌合溝１ａを備えたストッパープレートを示す。前記嵌合溝１ａは引戸支持軸５の方向に向かって開口されており、支持軸５を受け入れて適度な保持力で弾力的に嵌合できるように形成されている。  
【０００８】
前記ストッパープレート１はフレイム２に所定のストロークの範囲内で引戸スライド方向に摺動可能に保持されている。本実施例では、ストッパープレート１の左右側面に突出形成された耳片１ｂがフレイム２のガイド溝２ａにガイド溝の長さの範囲内で摺動できるようにはめ込まれ、スプリング３、３によって常時引戸Ａの閉じ方向となる引込み方向（図の左方向）に付勢されている。  
【０００９】
また、本ストッパープレートを引戸レールＢに取り付けるための取付け手段４が設けられている。この取付け手段４は、ビス４ａをフレイム１の下面から上面に向かって貫通させ、フレイム１の上面に露出するビス先端に水平な矩形状の狭着板４ｂを螺合させ、この狭着板４ｂとフレイム１の上面との間で引戸レールＢの開口縁部６を狭着して引戸レールＢに取り付けるように構成されている。しかしこの取付け手段に代えて、例えば引戸レールＢの上壁にビス孔（図示せず）を設けてビス４ａをこのビス孔に螺合して直接引戸レールＢに取り付けることもできる。  
【００１０】
上記の如く構成された引戸ストッパーは引戸レールＢの端末に取り付けて使用される。図３は引戸Ａを閉じる直前を示すものであって、この状態から緩やかに引戸を閉めると、図４で示すように引戸滑走体の支持軸５が引戸ストッパーの嵌合溝１ａに嵌入保持され、引戸の閉鎖姿勢が保持される。また引戸Ａを強く閉めた場合、その反動によって引戸Ａが開き方向に移動するが、このとき支持軸５を掴んだままストッパープレート１がスプリング３に抗して引戸と共に左方向に移動して強く閉めたときの反動を緩和し、最後にスプリング３の力により図４の閉鎖姿勢に復帰する。これにより支持軸５が嵌合溝１ａから抜脱することを効果的に阻止することができる。  
【００１１】
以上本発明の実施例について説明したが、本発明は必ずしもこれらの実施例構造のみに限定されるものでなく、本発明の構成要件を備え、かつ本発明の目的を達成し、上記の効果を奏する範囲内において適宜改変して実施することができるものである。
【産業上の利用可能性】
【００１２】
本発明では引戸以外に折戸や間仕切りのストッパーとしても適用できる。
【図面の簡単な説明】
【００１３】
【図１】本発明に係る引戸ストッパーの一実施例を示す分解斜視図。
【図２】上記引戸ストッパーの斜視図。
【図３】上記引戸ストッパーの動作を示す断面図であって、引戸を閉じる直前を示す。
【図４】引戸を閉じた状態を示す図３同様の断面図。
【図５】引戸が閉じたときの反動で少し開き方向に移動した状態を示す図３同様の断面図。
【符号の説明】
【００１４】
１  ストッパープレート１ａ  ストッパープレートの嵌合溝２  フレイム３  スプリング４  取付け手段５  引戸の滑走体支持軸Ａ  引戸Ｂ  引戸レール 
【図１】
2005036497.tif 000003
【図２】
2005036497.tif 000004
【図３】
2005036497.tif 000005
【図４】
2005036497.tif 000006
【図５】
2005036497.tif 000007
(57)【要約】【課題】送風性能の高効率化と騒音の抑制を達成しながら、小型の送風機を提供する。【解決手段】スクロールケーシング４の外郭の内、舌部９と連続する第１外郭部１２ａのスクロール形状を一定半径で形成し、前記第１外郭部１２ａに連続するとともに下流側に位置する第２外郭部１２ｂに所定の拡大角を設けたもので、スクロールケーシング４を小さくすることができる。【選択図】  図１
2005036679.tif 000002
【特許請求の範囲】
【請求項１】
吸込口と吐出口を形成し、内部に多翼ファンを内蔵するスクロールケーシングを備え、前記スクロールケーシングの外郭の内、舌部と連続する第１外郭部のスクロール形状を一定半径で形成し、前記第１外郭部に連続するとともに下流側に位置する第２外郭部に所定の拡大角を設けたことを特徴とする送風機。
【請求項２】
吸込口と吐出口を形成し、内部に多翼ファンを内蔵するスクロールケーシングを備え、前記スクロールケーシングの外郭の内、舌部と連続する第１外郭部のスクロール形状を一定半径で形成し、前記第１外郭部に連続するとともに下流側に位置する第２外郭部に、連続的または段階的に大きくなる拡大角を設けたことを特徴とする送風機。
【発明の詳細な説明】
【０００１】
【発明の属する技術分野】
本発明は、空気調和機の室内機等に使用される送風機に関するものである。
【０００２】
【従来の技術】
従来より、この種の送風機には、高効率化とそれから発生する騒音の抑制が求められ、その構成は、図２乃至図４に示されるものが一般的であった。
【０００３】
以下、その構成について同図を参照しながら説明する。
【０００４】
図に示されるように、送風機は、空気調和機の室内機等の機器本体１の内部に設けられた仕切り板２に取り付けられたファンモーター６と、ファンモーター６の両軸に固着された多翼ファン３と、その多翼ファン３を覆うスクロールケーシング４で形成されていた。そして、ファンモーター６の運転により多翼ファン３を回転させ、吸込口７より吸い込んだ空気を吐出口８より送り出していた。
【０００５】
スクロールケーシング４の形状は、高効率化と騒音抑制のために、図４に示すように舌部９と連続する外郭部１０に一定の拡大角を設け、多翼ファン３の中心１１からの距離ａを連続的に大きくすることで、スクロールケーシング４の内部の体積を徐々に大きくし、風量を増大させるようにしていた（例えば、特許文献１参照）。
【０００６】
【特許文献１】
特開平０９−３１０７００号公報
【０００７】
【発明が解決しようとする課題】
しかしながら、上記従来の構成では、舌部９の部分から、多翼ファン３の中心１１からの距離ａを連続的に大きくしていたので、スクロールケーシング４の高さｈが大きくなり、送風機並びにそれを取り付けた機器本体１の高さｂも大きくなってしまうという課題を有していた。
【０００８】
本発明はこのような従来の課題を解決するものであり、高効率で、騒音が抑制され、さらに小型の送風機を提供することを目的とするものである。
【０００９】
【課題を解決するための手段】
上記課題を解決するために本発明は、スクロールケーシングの外郭の内、舌部と連続する第１外郭部のスクロール形状を一定半径で形成し、前記第１外郭部に連続するとともに下流側に位置する第２外郭部に所定の拡大角を設けたもので、第１外郭部での半径が一定なのでその分、スクロールケーシングが小さくでき、送風機及びそれを収納する機器本体の高さも小さくすることができる。
【００１０】
【発明の実施の形態】
請求項１記載の発明は、吸込口と吐出口を形成し、内部に多翼ファンを内蔵するスクロールケーシングを備え、前記スクロールケーシングの外郭の内、舌部と連続する第１外郭部のスクロール形状を一定半径で形成し、前記第１外郭部に連続するとともに下流側に位置する第２外郭部に所定の拡大角を設けたもので、第１外郭部での半径が一定なのでその分、スクロールケーシングが小さくでき、送風機及びそれを収納する機器本体の高さも小さくすることができる。
【００１１】
請求項２記載の発明は、吸込口と吐出口を形成し、内部に多翼ファンを内蔵するスクロールケーシングを備え、前記スクロールケーシングの外郭の内、舌部と連続する第１外郭部のスクロール形状を一定半径で形成し、前記第１外郭部に連続するとともに下流側に位置する第２外郭部に、連続的または段階的に大きくなる拡大角を設けたもので、高効率化とその発生騒音の抑制を達成しながらも、スクロールケーシングの高さを小さくして、送風機及びそれを収納する機器本体の高さを小さくすることができる。
【００１２】
【実施例】
（実施例１）
以下に、本発明の第１の実施例について図１を用いて説明する。なお、上記従来例と同一部分については、同一符号、名称を用いて、その説明を省略する。
【００１３】
図１は本実施例の送風機を取り付けた機器の断面を示す図で、スクロールケーシング４内の舌部９と連続する第１外郭部１２ａを一定半径で形成し、前記第１外郭部１２ａの終点に連続するとともに下流側に形成された第２外郭部１２ｂに、所定の拡大角を設け、多翼ファン３の中心１１からの距離ａが連続的に大きくなっている。
【００１４】
スクロールケーシング４の舌部９近傍においては、スクロールケーシング４内部の圧力が低く、吸込口７から吸込む風量が少ないため、第１外郭部１２ａに拡大角を設けず、一定の半径で構成しても、送風機としての性能にはほとんど影響を与えることが無い。
【００１５】
以上のように、第１外郭部１２ａで拡大角を設けず、一定の半径で構成しても、送風機の性能にほとんど影響を与えず、ケーシング４の高さを低くする事ができる。
【００１６】
また、第２外郭部１２ｂに設ける拡大角を、第１外郭部１２ａと第２外郭部１２ｂの交点から連続的または段階的に大きくしても良い。そうすれば、通常の場合よりも、さらにスクロールケーシング４を小さくすることができるので、それを収納する機器本体の高さも大幅に小さくすることができる。
【００１７】
なお、スクロールケーシング４の内部の圧力はスクロールケーシング４の頂点１３の地点が最も高く、頂点１３の近傍におけるスクロールケーシング４の体積を小さくすると、送風性能が悪化してしまう。従って、スクロールケーシング４の頂点１３近傍の拡大角は大きくする必要がある。しかしながら、舌部９に近づくにつれ、スクロールケーシング４の内部の圧力は減少するので、拡大角を小さくすることができる。
【００１８】
【発明の効果】
以上のように、本発明によれば、スクロールケーシングを小さくすることができ、それにより、送風機及びそれを収納する機器本体の高さを小さくすることができる。
【図面の簡単な説明】
【図１】本発明の第１の実施例を示す送風機を取り付けた機器の部分断面図
【図２】従来の送風機を取り付けた空気調和機の室内機の平面図
【図３】同室内機の断面図
【図４】同送風機の断面図
【符号の説明】
１    機器本体
３    多翼ファン
４    スクロールケーシング
６    ファンモーター
７    吸込口
８    吐出口
９    舌部
１０  外郭部
１１  多翼ファンの中心
１２ａ  第１外郭部
１２ｂ  第２外郭部
【図１】
2005036679.tif 000003
【図２】
2005036679.tif 000004
【図３】
2005036679.tif 000005
【図４】
2005036679.tif 000006
(57)【要約】【課題】  ドアクローザ本体（１）に内部のスプリングまたはシリンダを固定する施錠部（２）をドア（４）の内側部と外側部に設けることにより、ドア（４）の開閉の自由を抑制し、ドア（４）を閉じた状態または任意の角度で開いた状態のままドア（４）を固定することができるストッパー付防犯ドアクローザを提供する。【解決手段】  ドアクローザ本体（１）に内部のスプリングまたはシリンダを固定する施錠部（３）をドア（４）の内側と外側に設けることを特徴とする。【選択図】  図２
2005036619.tif 000002
【特許請求の範囲】
【請求項１】
ドアクローザ本体（１）に内部のスプリングまたはシリンダを固定する施錠部（２）をドア（４）の内側部と外側部に設けることにより、ドア（４）の開閉の自由を抑制し、ドア（４）を閉じた状態または任意の角度で開いた状態のままドア（４）を固定することができるストッパー付防犯ドアクローザ。
【発明の詳細な説明】
【技術分野】
【０００１】  この発明は、ドアクローザ本体（１）に内部のスプリングまたはシリンダを固定する施錠部（２）をドア（４）の内側部と外側部に設けることにより、ドア（４）の開閉の自由を抑制し、ドア（４）を閉じた状態または任意の角度で開いた状態のままドア（４）を固定することができるストッパー付防犯ドアクローザに関するものである。
【背景技術】
【０００２】  従来のドアクローザは、ドア（４）を開けたときに自動的にゆっくりと閉まるという主機能をもち、一部には約９０度でドア（４）をストップさせる機能を持っていた。
【発明の開示】
【発明が解決しようとする課題】
【０００３】  これには次のような欠点があった。
（イ）誰にでも同じ機能を果たすため、ピッキングによってドア（４）の施錠部を壊された場合、外部侵入者に対しても通常どおりに機能する。
（ロ）ストップ機能によってドア（４）を開けておいた場合、誰にでもストップ機能の解除ができてしまう。
本発明は、これらの欠点を除くためになされたものである。
【課題を解決するための手段】
【０００４】  ドアクローザ本体（１）に内部のスプリングまたはシリンダを固定する施錠部（３）をドア（４）の内側と外側に設けた。
本発明は、以上のような構成によりなるストッパー付防犯ドアクローザである。
【発明の効果】
【０００５】  これには次のような効果がある。
（イ）外出するときは、外側からドア（４）の施錠部とドアクローザ外側の施錠部を施錠すれば、ピッキングによってドア（４）の施錠部を壊された場合でも、ドアクローザが固定されているのでドア（４）が開かない。
（ロ）ドアクローザの外部の施錠部が高所にあるので、ピッキング作業もしにくく、ピッキング作業も目立つため、ピッキングしにくい。
（ハ）通気等のためドア（４）を半開きにする時は、人が通れない位置でドア（４）をセットし、ドアクローザ内側の施錠部を施錠すれば、ドア（４）をその状態でドア（４）の開閉ができないように固定するため、外部から侵入者が侵入できない。
本発明は、これらの効果をもたらすものである。
【発明の実施するための最良の形態】
【０００６】（イ）ドアクローザ本体（１）に内部のスプリングまたはシリンダを固定する施錠部（２）をドア（４）の内側と外側に設ける。
本発明は以上のような構造で、外出するときはドア（４）の施錠と同時に、ドアクローザを外側から施錠をして、ドア（４）を閉じた状態でドア（４）が開かないように固定する。
また、通気等のためドア（４）を半開きにする時は、内側からドアクローザを施錠して、ドア（４）を任意の角度で開いた状態でドア（４）の開閉ができないように固定する。
【図面の簡単な説明】
【０００７】
【図１】  本発明のドア（４）内側から見た正面図である。
【図２】  本発明の断面図である。
【符号の説明】
【０００８】１  ドアクローザ本体
２  アー厶部
３  施錠部
４  ドア
５  上枠
６  竪枠
【図１】
2005036619.tif 000003
【図２】
2005036619.tif 000004
(57)【要約】      （修正有）【課題】建具の下枠の上部にあるレール、水返しなど突起物を取り払い溝、段差を無くし平滑な面を確保することでゴミ、埃の詰まりの解消や、使用者および車輪の通行時の障害要因を排除しバリアーフリー化を実現する。【解決手段】戸車内蔵フラット枠サッシは、鋼製建具の引き違い窓、引き戸、引き違い戸の下枠上部にあるレール、水返しなどの突起物を取り払い下枠１の上部を平滑な面２とし単数又は複数の細い溝３を設け、かつ断面が箱状の下枠１の中空部に複数の戸車４を内蔵し配置固定する。一方建具を構成する障子の下框５は戸車を撤去し替わりに下框５の下部にレール状の突起６を設ける。  この障子下框５のレール状の突起６を下枠１の溝３に嵌め中空部に配置固定された複数の戸車４上に据え置くことにより障子の建て込みを行う。下枠１に内蔵し固定された戸車４と障子の下框レール状の突起６の組み合わせにより障子の円滑なスライド操作が可能となる。【選択図】図１
2005036617.tif 000002
【特許請求の範囲】
【請求項１】
アルミサッシ等鋼製建具の引き違い窓、引き戸および引き違い戸の下枠（１）の断面を箱状とし、その枠上部からレール、水返しなどの突起物を撤去して平滑な面（２）を形成する。
その面（２）にレール状の突起（６）を通せる幅を有する単数ないし複数の溝（３）を設ける。
この下枠（１）の箱状の中空部に複数の戸車（４）を内蔵し配置固定する。一方引き違い窓、引き戸および引き違い戸の障子の下框（５）から戸車を撤去し替わりに下框（５）下部にレール状の突起（６）を設ける。
これら下枠（１）を有する外枠と下框（５）を有する障子で構成される引き違い窓、引き戸および引き違い戸。
【請求項２】
引き違い窓、引き戸，引き違い戸の下枠（７）の断面を箱状とし、その下枠（７）上部からレール、水返しなどの突起物を撤去して平滑な面（８）を形成し、その面（８）にレール状の突起（６）を通せる幅を有する単数ないし複数の溝（９）を設ける。
下枠（７）の箱状の中空部に複数のローラー（１０）を内蔵し配置固定する。
一方引き違い窓、引き戸および引き違い戸の障子の下框（５）から戸車を撤去し替わりに下框（５）下部にレール状の突起（６）を設ける。
これら下枠（７）を有する外枠と下框（５）を有する障子で構成される引き違い窓、引き戸および引き違い戸。
【発明の詳細な説明】
【発明の詳細な説明】
【技術分野】
【０００１】  この発明は建物の開口部に設置する鋼製建具の引き違い窓、引き戸、引き違い戸の下枠と戸，障子の建て付けに関する構造上の技術的な革新である。従来は開閉機構並びに水密性、気密性を保持するためこれらの下枠の上部にはレール、水返しなど複数の突起物および溝、段差などが形成されていた。しかしこれらは使用者が躓く歩行障害、車輪が挟まる、脱輪するなどの通行障害の要因となっておりまたゴミ、埃の詰まりで衛生面からも問題があった。
引き違い窓、引き戸等の障子と枠の構造的な欠陥を見直したものである。
【背景技術】
【０００２】  木製から鋼製建具に至るまで引き違い窓、引き戸および引き違い戸は伝統的に下枠にレールを取りつけた外枠に、戸又は障子の下框に戸車を取り付けた障子を建て込む構造様式で有史以来基本的な構造は今もって変化がない。
この構造では人、物、車輪が通過する開口部の下枠の上部にレール、水返しなどの突起物および溝、段差等が形成されることは構造上避けられずさまざまな通行障害や不便さおよび事故を生み出す原因となって来た。
【発明が解決しようとする課題】
【０００３】  近年身体障害者、高年齢者の建物内での生活上における安全性、利便性、快適さを確保するバリアフリー化が時代の要請となって来ており引き違い窓、引き戸、引き違い戸の機能、構造についても見直しが要請されている。
特に建物の出入り口、間仕切り部に設置される従来の引き戸、引き違い戸の下枠の上部の突起物や溝が形成する複雑な構造は通行障害および事故の原因であり安全性確保の面からバリアフリー化の緊急課題の一つである。
【課題を解決するための手段】
【０００４】  前述のような課題を解決するため、この発明では引き違い窓，引き戸、引き違い戸の伝統的な建具の構造を再検討して、逆転の発想で下枠にあるレールを撤去することで枠上部に平滑な面を確保し、又本来は障子の下框にあるべき戸車を廃止し替わりにレール状の突起を取付け、その戸車を下枠に内蔵し配置固定するという建具の基本的な主要な構造を転換することで解決した。
【発明を実施するための最良の形態】
【０００５】  本発明を実施するためには、請求項１の発明の引き違い窓、引き戸および引き違い戸の下枠（１）はその断面の形状を箱状とし従来はあった下枠上部のレール、水返しなどの突起物および溝、段差などを下枠（１）の上部から撤去することにより平滑な面（２）を確保する。
この下枠（１）の平滑な面（２）には障子を建て込む際に障子の下框（５）のレール状の突起（６）を通す単数ないし複数の細い溝（３）を設ける。
下枠（１）の箱状の中空部にはレール状の突起（６）を乗せる複数の戸車（４）を内蔵し配置固定する。
障子については従来から伝統的にその下框（５）下部に取り付けてある戸車を撤去し、かわりに本来は下枠の上部に付いているレールの役割をするレール状の突起（６）を下框（５）の下部に取り付けるものとする。
この下枠（１）の溝（３）を通して内部に設置した戸車（４）に障子の下框（５）のレール状の突起（６）を建て込むことで障子全体のスライド操作が容易にできる。
請求項２の発明の引き違い窓、引き戸、引き違い戸の下枠（７）はその断面形状を箱状として従来の下枠上部のレール、水返しなどの突起物および溝、段差はこれらの突起物を下枠（７）の上部から撤去することにより平滑な面（８）を形成する。
この下枠（７）の平滑な面（８）には障子を建て込む際に障子の下框（５）のレール状突起（６）を通すための単数ないし複数の細い溝（９）を設ける。
下枠（７）の箱状の中空部には障子のレール状の突起（６）を乗せる複数のローラー（１０）を内蔵し配置固定する。
【発明の効果】
【０００６】  本発明は請求項１または請求項２に記す通りレールの無い下枠を持つ外枠と戸車の無い障子の組み合わせで構成される建具である。
従来からある引き違い窓、引き戸、引き違い戸と異なり、その下枠の上部はレールなど複数の突起物および溝、段差が無く平滑な面が形成される。
その結果身体障害者、高年齢者、幼児および一般使用者が歩行時又は車輪を用いての通行時に躓いて怪我を負ったり転倒したり、車輪が脱輪ないし挟まって行動に支障をきたすことも無く、さらに溝にゴミや埃が溜まり不衛生になるなどのさまざまな障害を解消し安全で便利で快適な開口部のバリアフリー化を実現することが可能となる。
【図面の簡単な説明】
【図１】本発明の戸車タイプの断面図である。図３のａ〜ｂ部の断面を表わす。
【図２】本発明のローラータイプの断面図である。
【図３】引き違い戸の斜視図
【符号の説明】
（１）は下枠      （２）は平滑な面
（３）は溝        （４）は戸車
（５）下框        （６）レール状の突起
（７）は下枠      （８）は平滑な面
（９）は溝        （１０）はローラー
【図１】
2005036617.tif 000003
【図２】
2005036617.tif 000004
【図３】
2005036617.tif 000005
(57)【要約】      （修正有）【課題】ＦＲＰボルトを使用した木造建築物の補強方法を提供する。【解決手段】木造建築物の木材の接合部の２軸に貫通するリード穴を６０度の角度で穿孔し、その穴にエポキシ樹脂系接着剤を注入した後、ＦＲＰボルトを挿入するか、必要に応じてさらに接合部を繊維テープで被覆する。【効果】木材の木痩せや腐朽による木造建築物の補修と同時に補強が、補強金具を使用することなく経済的にできる。【選択図】      図１
2005036612.tif 000002
【特許請求の範囲】
【請求項１】
木材の接合部の２軸に貫通するリード穴を６０度の角度で穿孔し、その穴にエポキシ樹脂系接着剤を注入した後、ＦＲＰボルトを挿入することを特徴とする木造建築物の補強方法。
【請求項２】
木材の接合部の２軸に貫通するリード穴を６０度の角度で穿孔し、その穴にエポキシ樹脂系接着剤を注入した後、ＦＲＰボルトを挿入し、さらに繊維テープで接合部を被覆することを特徴とする木造建築物の補強方法。
【発明の詳細な説明】
【技術分野】
【０００１】  本発明は、木材の宿命である木痩せや腐朽によって生じる軸組み部分の隙間を強力に再接合することにより、木造建築物の補修、補強をする方法に関する。
【背景技術】
【０００２】  従来の木造建築物の柱の交差部分の補強は、Ｌ型金具をはじめ種々の補強金具で固定する方法が一般的に用いられている。
【特許文献１】特開平１１−１３２９２号公報
【発明の開示】
【発明が解決しようとする課題】
【０００３】  従来の木造建築物は、種々の補強金具を用いて補強しているが金具の固定ボルト等により木材に割れを生じる場合がある。そこで、本発明は、従来の金具による補強の概念を打破し、木材補強剤と高強度ＦＲＰボルトと繊維テープとの組合わせにより、軽く、より強度な木造建築物の補強方法を提供するものである。
【課題を解決するための手段】
【０００４】  上記の課題を解決するために、本発明は、木造建築物の土台と柱の接合部の２軸に貫通するリード穴を６０度の角度で穿孔し、その穴にエポキシ系接着剤を注入した後、高強度なＦＲＰボルトを挿入する。必要に応じてさらに接合部を繊維テープで被覆する方法である。
【発明の効果】
【０００５】  本発明の木造建築物の補強方法は、上記のような構成であるから、木材の木痩せや腐朽による木造建築物の補修と同時に補強ができた。
【発明を実施するための最良の形態】
【０００６】  本発明を実施するための最良の形態を実施例に基づいて説明する。
【実施例１】
【０００７】  図１は本発明のＦＲＰボルトを用いた木造建築物の補強方法を示した断面図である。
土台１と柱２は木材であり、１０ｍｍΦのドリルで長さ１７０ｍｍのリード孔３を土台に対し６０度の角度で柱と土台を貫通するように穿孔し、このリード穴３に表１に示す木材補強剤４のエポキシ樹脂系接着剤４（ファイバーダイン（株）製、商品名タックダインＡＬ−１００）を注入した後、表２に示す１０ｍｍΦ、長さ１２５ｍｍのＦＲＰボルト５（旭硝子マテックス（株）製、商品名プラアロイ（ロッド））を挿入する。
【実施例２】
【０００８】  図２は本発明のＦＲＰボルトを挿入した後、さらに繊維テープ６で接合部を被覆した木造建築物の補強方法を示した断面図である。
実施例１と同様な方法でリード穴３に木材補強剤４を注入した後、ＦＲＰボルト５を挿入し、さらに表３に示す繊維テープ６で接合部を被覆する。この繊維テープ６（ファイベック（株）製）はアラミドテープで幅８５ｍｍ、長さ５０ｍのテープを３００ｍｍにカットして図２に示すように柱２と土台１の周囲をＬ字型に各々１５０ｍｍ被覆する。
以下に上記の木材補強剤、ＦＲＰボルトおよびアラミドテープの特性を表示する。【０００９】
【表１】
2005036612.tif 000003
【００１０】
【表２】
2005036612.tif 000004
【００１１】
【表３】
2005036612.tif 000005
【産業上の利用可能性】
【００１２】  本発明の方法を実施することにより、補強金具を使用することなく、経済的に木造建築物の補修と補強が可能となる。
【図面の簡単な説明】
【００１３】
【図１】木造建築物の補強方法を示した断面図である。    （実施例１）
【図２】木造建築物の補強方法を示した断面図である。    （実施例２）
【符号の説明】
【００１４】１      土台
２      柱
３      リード穴
４      木材補強剤
５      ＦＲＰボルト
６      繊維テープ
【図１】
2005036612.tif 000006
【図２】
2005036612.tif 000007
(57)【要約】【課題】  洋便器を伝って漏れた小便は、床と洋便器の間に入り、掃除がしにくい。【解決手段】  洋便器の下部に、小便漏れ止めカチューシャ様の物を取り付け、漏れを防ぐ。【選択図】  図１
2005036613.tif 000002
【特許請求の範囲】
【請求項１】
洋便器の下部に、紙又は布を取付けた小便漏れ止めカチューシャ
【発明の詳細な説明】
【発明の詳細な説明】
【技術分野】
【０００１】この発明は、トイレの汚れ防止に関するものである。
【背景技術】
【０００２】従来は、洋便器にたれた小便を受ける物が無い為、そのまま便器の下にしみ込む。
【発明が解決しようとする課題】
【０００３】以上の従来技術によれば、洋便器と床の間が濡れてもそのままである。そこで、この発明は、洋便器と床の間が濡れることを防ぐための物を、提供する事を課題とする。
【課題を解決するための手段】
【０００４】以上の課題を解決するために、請求項１の発明は、洋便器の下部に、小便漏れ止めの紙又は布を付けた、カチューシャ様の物を取付ける。
【発明を実施するための最良の形態】
【０００５】この発明の一実施形態を、図１に示す。
カチューシャに、紙又は布を取付ける。
【実施形態の効果】
【０００６】この実施形態によれば、小便が便器を伝って漏れるのを防ぐ事ができる。
【他の実施形態】
【０００７】図１の実施形態では、プラスチックの曲げ物、又は金属製・又は竹製・又は木製の曲げた物に、紙又は布を取付けた物でも良い。
【発明の効果】
【０００８】以上説明したように、この発明によれば、便器の下に漏れた小便の臭い、ネジ等の錆び、床が腐るのを防ぐ事ができる。
【図面の簡単な説明】
【図１】この発明の一実施形態を示す斜視図である。
【符号の説明】
１  洋便器
２  小便漏れ止めカチューシャ
【図１】
2005036613.tif 000003
(57)【要約】      （修正有）【課題】  街路樹や公園等における除草に要するコストを低減する。【解決手段】  道路や街路等の植樹桝や植樹帯、中央分離帯等の植樹（草花を含む）を実施している場所や将来植樹を予定している場所において、植樹場所内側を囲む縁取りとして使用されている歩車道境界ブロックやコンクリート境界ブロック等の形状を変え庇のような突出部を取り付けることで、光の進入を遮断することにより雑草の発生を防止する。【選択図】    図５
2005036618.tif 000002
【特許請求の範囲】
【請求項１】
道路や街路等の植樹桝や植樹帯、中央分離帯等の植樹（草花を含む）を実施している場所や将来植樹を予定している場所において、植樹場所内側を囲む縁取りとして使用されている歩車道境界ブロックやコンクリート境界ブロック等の形状を変え庇のような突出部（仮称名称：ウイードストッパー）を取り付けるものである。（図１、２参照）
【請求項２】
植木鉢（プランターを含む）やポット類等、草花や苗木、樹木等を植え付ける容器の内側に庇のような突出部を取り付けるものである。（図６，７参照）
【発明の詳細な説明】
【発明の詳細な説明】
【０００１】  植樹箇所側を囲む縁取り部分に光の侵入を遮断する庇のような突出部（ウイードストッパー）を設ける。（図１、２の斜線部）  庇のような突出部は、植樹桝の大きさやプランター等の大きさにより、１〜２ｃｍから１０ｃｍ位の突出部を設けるものである。庇の厚みについては、考慮しない。（図３，４参照）
【技術分野】
【０００２】  この発明は、街路や公園、プランター等を含む植樹桝に、庇のような突出部を設ける植樹桝の形状に関する発明である。
【背景技術】
【０００３】  日本の土木技術は世界をリードするまでに成長してきたが、環境面等、とりわけ緑化に関する土木的技術は不十分で、未だにその工夫がなされてないのが現状である。
【発明が解決しようとする課題】
【０００４】  道路の歩車道境界ブロックやコンクリート境界ブロック等、縁取りとして使用している植樹箇所内側の面は、地上面に対し垂直になっているため雑草等の飛来種子はその面に遮られ、面と接する地上部で大量に発生し、他の植物の生育阻害と合わせ景観上大きな課題であり維持管理費の増大となっている。  雑草種子の大部分は飛来種子で軽く、風雨により容易に植樹桝内を移動、外側、外側へと移動し発芽するが、植樹桝の内側に庇のような突出部を設けることにより光を遮断し、雑草の発芽を抑制するもので街路や公園等の維持管理費が大幅に軽減される。（図３，４，５参照）
【課題を解決するための手段】
【０００５】  以上の課題を解決するため請求項１および請求項２の発明は、植樹桝の内側に庇のような突出部を設けることにより光を遮断し、雑草の発生を防止するものである。
【発明を実施するための最良の形態】
【０００６】  この発明の実施の形態は、図１〜７に示す。庇のような突出部の形態は、その素材や植樹桝の大きさに関係なく１〜２ｃｍから１０ｃｍ位の長さを標準とする。
【実施形態の効果】
【０００７】  この実施形態によれば、飛来した雑草種子は、風雨により植樹桝内の外側部分に運ばれ移動し、庇部分（ウイードストッパー）により光が遮断され雑草の発芽が抑制される。（図５参照）
【他の実施形態】
【０００８】  現在、雑草防止対策として、防草シート（不織布）を地上部に張って雑草の進入を防ぐ方法を採用している。費用的にも高価であり景観上もあまり良いとはいえない。
【発明の効果】
【０００９】  植樹桝の内側に庇のような突出部を設けることにより、比較的安価で雑草の発生を抑制し、植物に負担をかけることなく維持管理コストが逓減化される。
【図面の簡単な説明】
【００１０】
【図１】改良型  歩車道境界ブロックやコンクリート境界ブロックの実施形態を示す斜視図である。
【図２】植樹帯立面図  Ａ−Ａは、植樹帯の断面図である。
【図３】雑草種子の飛来状況（進入状況）を示している。
【図４】進入してきた雑草種子は、風雨により植樹桝の外側へ移動する。（庇部分へ移動する。）
【図５】飛来してきた雑草種子の発生状況を、従来型と改良型に分けて示した図面である。
【図６】請求項２を説明したプランター類やポット類の図面である。
【図１】
2005036618.tif 000003
【図２】
2005036618.tif 000004
【図３】
2005036618.tif 000005
【図４】
2005036618.tif 000006
【図５】
2005036618.tif 000007
【図６】
2005036618.tif 000008
【図７】
2005036618.tif 000009
【手続補正書】
【提出日】平成15年10月21日(2003.10.21)
【手続補正２】
【補正対象書類名】明細書
【補正対象項目名】００１０
【補正方法】変更
【補正の内容】
【００１０】
【図１】
改良型
歩車道境界ブロックやコンクリート境界ブロックに雑草の発生を抑える庇部分（ウイードストッパー）を取り付けた状況を示す図面である。
従来型
従来型には、そのような庇部分がない。
【図２】
植樹帯立面図
雑草の発生を抑える庇部分（ウイードストッパー）を取り付けたコンクリート境界ブロック使用の植樹帯をＡ−Ａ’の地点で切断したときの断面図である。
【図３】
雑草種子の飛来（進入状況）
雑草種子の飛来（進入状況）状況を示した図面である。大半の雑草種子は他の有用植物に比べ比較的に軽く、風雨により容易に移動し植樹桝内へと運ばれる状況を示した図面である。
【図４】
土面に付着した雑草種子の動き
植樹桝内へ運ばれた雑草種子の動きを示した図面で、風雨により雑草種子は、植樹桝内の両端、庇部分へと移動する。
【図５】
飛来種子（雑草）の発生状況
従来型のコンクリート境界ブロックを使用した場合（従来型）と、改良型のコンクリート境界ブロックを使用した場合（改良型）を比較した雑草種子の発生状況を示した図面である。大半の植樹桝を見ると、図５のようにコンクリート境界ブロックに沿って雑草が集中的に発生している。
【図６】
プランター類
請求項２を説明した図面である。この発明は、植物を植える器（プランター類）に庇部分を取り付けることである。
【図７】
ポット類
請求項２を説明した図面である。この発明は、植物を植える器（ポット類）に庇部分を取り付けることである。